(57)【特許請求の範囲】
【請求項１】
トップ部材とベース部材との間に可撓性を有した複数のひご部材が放射状に配置されてなる伸縮骨構造体と前記伸縮骨構造体の外面に設けられたバルーン部材とを有し、前記伸縮骨構造体の内部に配置される照明ランプによって周辺の照明を行う照明装置であって、
前記トップ部材とベース部材とは、パイプ部材および前記パイプ部材内を軸方向に移動可能なロッド部材からなる伸縮可能な伸縮支柱によって互いに連結されており、
前記ロッド部材には、前記伸縮支柱を収縮させた状態において前記パイプ部材を貫通してその開口端部から突出する位置に、前記開口端部に係合して前記伸縮支柱の伸長方向への移動を阻止することの可能な係止部材が設けられてなる、
ことを特徴とする照明装置。
【請求項２】
前記係止部材は、前記ロッド部材に設けられた凹所において回動可能に設けられており、
前記係止部材の回動位置が前記ロッド部材の軸方向と一致したときには、前記係止部材が前記パイプ部材内を挿通可能であり、前記係止部材の回動位置が前記ロッド部材の軸方向と一致しないときに、前記係止部材が前記開口端部に係合するように構成されている、
請求項１記載の照明装置。
【請求項３】
前記係止部材は、その長手方向の中央から上方へ片寄った位置において前記前記ロッド部材に回動可能に設けられており、その自重によって鉛直方向の回動位置となるように構成されている、
請求項２記載の照明装置。
【請求項４】
前記係止部材は、その長手方向の中央から下方へ片寄った位置において前記前記ロッド部材に回動可能に設けられており、その自重によって前記ロッド部材の軸方向と一致しない回動位置となるように構成されている、
請求項２記載の照明装置。
【請求項５】
前記ロッド部材の端部に紐状体が連結され、且つ前記紐状体が前記パイプ部材内を通って前記開口端部から外部に引き出されており、
前記紐状体の端部には操作者が手で引くための操作部が設けられている、
請求項１ないし４のいずれかに記載の照明装置。
【請求項６】
前記伸縮支柱が２本設けられてそれらが互いに平行に配置され、
２本の前記パイプ部材の端部が前記ベース部材に固定されており、
前記照明ランプが前記ベース部材に対して固定的に設けられてなる、
請求項１ないし５のいずれかに記載の照明装置。
【請求項７】
前記２本の前記伸縮支柱には、前記照明ランプを保護するための螺旋状の保護部材が取り付けられてなる、
請求項６記載の照明装置。
【請求項８】
前記ベース部材には、前記伸縮骨構造体の外部に突出して当該照明装置を支持するための支持部材が取り付けられてなる、
請求項１ないし７のいずれかに記載の照明装置。
【請求項９】
前記バルーン部材の内側に、前記照明ランプの光を反射する反射板が設けられている、
請求項１ないし８のいずれかに記載の照明装置。
【請求項１０】
前記反射板は、前記バルーン部材と前記ひご部材との間に挟まれて前記伸縮骨構造体に保持されている、
請求項９記載の照明装置。
【発明の詳細な説明】
【技術分野】
【０００１】
本発明は、工事現場、事故現場、または野外のイベント会場などにおいて用いられる照明装置に関し、特に所謂バルーン型の照明装置に関する。
【背景技術】
【０００２】
従来より、バルーン型の照明装置として、ブロワやファンを用いてバルーンに空気を送り込んで膨らませるガスタイプのものが用いられている。しかし、このタイブのものは、バルーンが破れた場合には使用不能となってしまう。また、ブロワやファンを常に運転しておく必要があることから、その運転音が邪魔になる場所例えば映画の撮影などの際には使えない。
【０００３】
これに対して、傘の骨のようなひご部材を広げることによってバルーンを膨らませる傘タイプのものが種々提案されている。例えば、特許文献１に開示されたバルーン型の照明装置では、トップ部材とベース部材との間に、回動可能に連結された２つの棒材からなる複数の骨材が放射状に配置され、骨材のそれぞれの端部が、トップ部材とベース部材とに回動可能に連結されている。トップ部材は、照明ランプを介して支柱に連結されており、ベース部材は支柱に対して上下方向に移動可能に設けられている。ベース部材を上方へ移動させることにより、骨材が放射状に開き、骨材に取り付けられたひご部材が同時に開くことによってバルーンが膨らむようになっている。
【０００４】
また、特許文献２に開示された照明装置では、トップ部材とベース部材との間に可撓性を有した複数のひご部材が放射状に配置されており、ひご部材の外面にバルーン部材が張られている。トップ部材には支柱が連結され、ベース部材は支柱に対して上下方向に移動可能に設けられている。支柱の上端部に照明ランプが取り付けられ、下端部に操作用の握手が取り付けられている。作業者が握手を持ってベース部材を上方へ移動させることにより、ひご部材が開いてバルーンが膨らむようになっている。
【特許文献１】特開２００４−２５３１７２
【特許文献２】特開２００４−９５５１７
【発明の開示】
【発明が解決しようとする課題】
【０００５】
しかし、上に述べた従来の照明装置では、いずれも支柱の上端部にトップ部材が取り付けられ、支柱に対して移動可能なベース部材を上下方向に移動させることによってバルーンを膨らませまたはしぼませるようになっているので、作業者の操作に負担がかかっていた。
【０００６】
すなわち、バルーンを膨らませる際に、通常、ベース部材を支柱に沿って上方に押し上げる必要があるので、ひご部材を弾性的に湾曲させるための力に加え、バルーンの重量を上方へ持ち上げる力が必要である。これとともに、ベース部材を押し上げた状態で保持させなければならず、これら一連の操作を一人で行うのには負担が大きかった。
【０００７】
本発明は、上述の問題に鑑みてなされたもので、ひご部材を広げることによってバルーンを膨らませる傘タイプのバルーン型の照明装置において、バルーンを膨らませるための操作が容易であって作業者に大きな負担をかけることのないようにすることを目的とする。
【課題を解決するための手段】
【０００８】
本発明に係る照明装置は、トップ部材とベース部材との間に可撓性を有した複数のひご部材が放射状に配置されてなる伸縮骨構造体と前記伸縮骨構造体の外面に設けられたバルーン部材とを有し、前記伸縮骨構造体の内部に配置される照明ランプによって周辺の照明を行う照明装置であって、前記トップ部材とベース部材とは、パイプ部材および前記パイプ部材内を軸方向に移動可能なロッド部材からなる伸縮可能な伸縮支柱によって互いに連結されており、前記ロッド部材には、前記伸縮支柱を収縮させた状態において前記パイプ部材を貫通してその開口端部から突出する位置に、前記開口端部に係合して前記伸縮支柱の伸長方向への移動を阻止することの可能な係止部材が設けられてなる。
【０００９】
好ましくは、前記係止部材は、前記ロッド部材に設けられた凹所において回動可能に設けられており、前記係止部材の回動位置が前記ロッド部材の軸方向と一致したときには、前記係止部材が前記パイプ部材内を挿通可能であり、前記係止部材の回動位置が前記ロッド部材の軸方向と一致しないときに、前記係止部材が前記開口端部に係合するように構成される。
【００１０】
また、前記係止部材は、その長手方向の中央から上方または下方へ片寄った位置において前記前記ロッド部材に回動可能に設けられており、その自重によって鉛直方向の回動位置となるように、または鉛直方向から外れた位置となるように構成される。
【００１１】
また、前記ロッド部材の端部に紐状体が連結され、且つ前記紐状体が前記パイプ部材内を通って前記開口端部から外部に引き出されており、前記紐状体の端部には操作者が手で引くための操作部が設けられる。
【００１２】
また、前記伸縮支柱が２本設けられてそれらが互いに平行に配置され、２本の前記パイプ部材の端部が前記ベース部材に固定されており、前記照明ランプが前記ベース部材に対して固定的に設けられる。
【００１３】
また、前記２本の前記伸縮支柱には、前記照明ランプを保護するための螺旋状の保護部材が取り付けられる。
【００１４】
また、前記ベース部材には、前記伸縮骨構造体の外部に突出して当該照明装置を支持するための支持部材が取り付けられる。
【００１５】
また、バルーン部材の内側に、照明ランプの光を反射する反射板が設けられる。前記反射板は、例えば、前記バルーン部材と前記ひご部材との間に挟まれて前記伸縮骨構造体に保持される。
【発明の効果】
【００１６】
本発明によると、傘タイプのバルーン型の照明装置において、バルーンを膨らませるための操作が容易であり、作業者に大きな負担をかけることがない。
【発明を実施するための最良の形態】
【００１７】
図１は本発明に係る照明装置１の外観を示す斜視図、図２は照明装置１の断面正面図、図３は図２の一部を拡大して示す断面正面図、図４は図３のＡーＡ線矢視断面図、図５は図３のＢーＢ線矢視断面図、図６はひご部材の連結部分を拡大して示す断面正面図、図７は伸縮支柱の構造を示す断面正面図、図８は図７に示す伸縮支柱の構造の断面右側面図である。
【００１８】
図１および図２に示すように、照明装置１は、円板状のトップ部材１１とベース部材１２との間に可撓性を有した複数のひご部材１３，１３，１３…が放射状に配置されることによって伸縮骨構造体ＳＫが構成されており、伸縮骨構造体ＳＫの外面にバルーン部材３１が設けられて外観が形成されている。
【００１９】
図２〜図４に示すように、トップ部材１１とベース部材１２とは、パイプ部材１４、およびパイプ部材１４内を軸方向に移動可能なロッド部材１５からなるテレスコピック式に伸縮可能な２本の伸縮支柱ＳＳによって互いに連結されている。
【００２０】
つまり、トップ部材１１に設けられたネジ穴にロッド部材１５の上端部に設けられたネジが螺合して連結され、ベース部材１２に設けられたネジ穴にパイプ部材１４の下端部に設けられたネジが螺合して連結されている。いずれも、ロックのためのナットが設けられている。図７にはパイプ部材１４に螺合したナット１４１が示されている。
【００２１】
ロッド部材１５は、パイプ部材１４の中を摺動可能であり、最も伸長したときにバルーン部材３１は萎んだ状態となり（図２に鎖線で示す状態）、最も収縮したときにバルーン部材３１は膨らんだ状態となる（図２に実線で示す状態）。最も伸長したときでも、ロッド部材１５の下端部はパイプ部材１４の中に残り、最も収縮したときにはロッド部材１５の下端部はパイプ部材１４の下端の開口端部１４ａから下方へ突出する。
【００２２】
２つの平行なロッド部材１５，１５の下端部には紐状体であるワイヤ１６，１６がそれぞれ連結され、その２本のワイヤ１６，１６がパイプ部材１４内を通ってそれぞれの開口端部１４ａ，１４ａから外部に引き出されている。ワイヤ１６，１６の下端部には、操作者が手で引くための丸棒状の操作部１７が取り付けられている。なお、操作部１７として、丸棒状のものを用いることなく、ワイヤ１６，１６を一体にまたは一体的に連結したものでもよい。
【００２３】
なお、ロッド部材１５とワイヤ１６とは、ロッド部材１５の下端面に開口する孔が設けられており、その孔にワイヤの上端部が挿入された状態で孔がかしめられてワイヤが強く把持されることにより連結されている。
【００２４】
バルーン部材３１は、ナイロン、ポリエステル、または布や帆布などの透光性を有する白色またはカラーの材料からなり、図１のように膨らんだ状態で球体状または楕円体状となるように縫製されている。バルーン部材３１の下側の中央には、円筒状のスカート部３２が設けられている。スカート部３２は、バルーン部材３１が膨らんだ状態では、後述するロッド部材１５や支持軸１９などを覆って外観をすっきりさせて美観を向上させるとともに、バルーン部材３１が萎んだ状態では、萎むことによってひご部材１３の長さに対してバルーン部材３１の長さが不足することによる下方の露出部を覆うことができる。
【００２５】
また、図示は省略したが、スカート部３２には、その上端縁および下端縁のそれぞれの円周に沿って挿通された紐が設けられており、バルーン部材３１を萎ませたときにその紐を締めつけて開口部を閉じることが可能になっている。これによってバルーン部材３１を萎ませたときのパッキングが容易になっており、保管や運搬に便利である。
【００２６】
トップ部材１１には、中央にアイボルト１８が取り付けられており、アイボルト１８によって照明装置１の全体を上から吊り下げることも可能である。
【００２７】
また、ベース部材１２には、下方に突出する支持軸１９が取り付けられている。支持軸１９を、三脚スタンドやテレスコープ式の伸縮駆動装置などにより立設されたポール２０（図１参照）に挿入し、ポール２０に設けたネジをネジ込んで凹溝部１９ａに押し当てることによって抜け止めと固定が行われる。さらに、ベース部材１２には、ランプＬＭに電源を供給するためのコネクタ２６が取り付けられている。
【００２８】
図３および図５に示されるように、ベース部材１２には、パイプ状のスペーサ２１を介して、ボルト２１ａによってランプベース２２が取り付けられている。ランプベース２２には、ランプＬＭを取り付けるためのソケット２３およびランプＬＭを点灯させるためのイグナイター２４が取り付けられている。２本のパイプ部材１４，１４には、螺旋状に巻かれた金属線からなるランプガード２５が、パイプ部材１４，１４の外側に接するように取り付けられている。
【００２９】
なお、ひご部材１３は、直径が数ｍｍ程度のステンレスのバネ鋼からなり、その弾力によって伸縮骨構造体ＳＫを伸ばそうとする。伸縮骨構造体ＳＫが伸びた状態つまりバルーン部材３１が萎んだ状態では、ひご部材１３はトップ部材１１およびベース部材１２に対してほぼ垂直な状態であるが、伸縮骨構造体ＳＫが縮んだ状態つまりバルーン部材３１が膨らんだ状態では、ひご部材１３はトップ部材１１およびベース部材１２に対してほぼ平行な状態となる。このように、伸縮骨構造体ＳＫの伸縮によってひご部材１３のトップ部材１１およびベース部材１２に対する姿勢が大きく変わるが、それを可能とするため、ひご部材１３はトップ部材１１およびベース部材１２に対して回動可能に取り付けられている。
【００３０】
すなわち、図６に示すように、ひご部材１３の一端部に、円柱状のこま部材４１が取り付けられており、このこま部材４１が、ベース部材１２にネジにより取り付けられたＵ型受け部材４２によって軸ピン４３を介して回動可能に支持されている。したがって、ひご部材１３は、図６の紙面を含む平面内において軸ピン４３を中心に回動可能である。ひご部材１３の他端部についても、これと同じ構成によってトップ部材１１に取り付けられている。
【００３１】
さて、各ロッド部材１５には、伸縮支柱ＳＳを収縮させた状態、つまりワイヤ１６を下方へほぼ一杯に引っ張った状態において、パイプ部材１４を貫通してその開口端部１４ａから突出する位置に、開口端部１４ａに係合して伸縮支柱ＳＳの伸長方向への移動を阻止することの可能な係止部材４４がそれぞれ設けられている。
【００３２】
すなわち、図７および図８に示されるように、ロッド部材１５には、その直径のほぼ中央近辺まで平面に削って形成された凹所４５が設けられている。したがって、凹所４５は、断面形状がほぼ半円形である。凹所４５の端部は、ほぼ４５度の斜面４６，４６に形成されている。係止部材４４は、凹所４５内に納まる幅および厚さを有し、凹所４５の長さよりも短く、先端部４４ａは左右それぞれ４５度にカットされ且つ底面から上面（図８における紙面手前側の面）に向けて４５度にカットされている。係止部材４４は、その長さ方向の中央よりも上方に片寄った位置において、ロッド部材１５に設けた穴に固定されたピン４７によって回転自在に取り付けられている。
【００３３】
したがって、係止部材４４は、自由状態では、その自重によって先端部４４ａを上にした鉛直方向の回動位置となる。そうすると、通常、ロッド部材１５は鉛直方向に沿っているので、係止部材４４はロッド部材１５の凹所４５内に丁度納まり、つまり断面視でロッド部材１５の外周から係止部材４４が突出しない状態であり、パイプ部材１４の中に抵抗なく挿入され且つパイプ部材１４の内部を自在に挿通可能である。
【００３４】
そこで、ワイヤ１６を下方へほぼ一杯に引っ張った状態で、作業者が手で係止部材４４を回転させてロッド部材１５の軸方向と一致しなくなったときに、その状態でワイヤ１６を引っ張った手を緩めると、ロッド部材１５およびワイヤ１６はひご部材１３の弾性によって上方に引っ張られ、回転させた係止部材４４がパイプ部材１４の開口端部１４ａに当接する。その状態では、係止部材４４はほぼ水平姿勢となる。２つの係止部材４４をともにその状態とする。
【００３５】
これによって、ロッド部材１５は、ひご部材１３の弾力で付勢された状態でその位置で制止され、ひご部材１３およびバルーン部材３１は図２に示すように膨らんだ状態を保持することとなる。
【００３６】
また、バルーン部材３１を萎ませる場合には、ワイヤ１６を下方へ若干引っ張ると、係止部材４４が下方へ移動して開口端部１４ａとの当接から解放され、係止部材４４はその自重で鉛直姿勢に戻るため、ワイヤ１６を引く手を緩めることによって、係止部材４４は開口端部１４ａに係合することなくパイプ部材１４の中に挿入されることとなる。その結果、図２に鎖線で示すように萎んだ状態となる。
【００３７】
本実施形態の照明装置１の使用方法は次のとおりである。
【００３８】
図１および図２の実線で示す膨らんだ状態で、コネクタ２６を利用して電源からの配線を接続し、図示しないスイッチをオンし、イグナイター２４を動作させてランプＬＭを点灯させる。これが使用状態である。使用状態において、上に述べたように支持軸１９を利用して三脚などによって地面に立設させ、またはアイボルト１８を利用して吊り下げる。これによって、照明装置１の周辺を明るく照明する。
【００３９】
使用状態を終えるときには、図示しないスイッチをオフし、ランプＬＭを消灯させ、コネクタ２６への配線を外す。ランプＬＭが十分に冷却した後で、ワイヤ１６を一旦下方へ引いた後で緩めることにより、図２の鎖線で示す萎んだ状態とする。この状態で、スカート部３２に設けられた紐を絞って結ぶ。また、必要に応じて、支持軸１９をポール２０や三脚などから取り外して保管する。ランプＬＭはランプガード２５によって保護されているので、バルーン部材３１が直接に接触したり、外部の力が直接に加わることはない。
【００４０】
このように、本実施形態の照明装置１によると、バルーンを膨らませるための操作、およびバルーンを萎ませるための操作が、いずれも極めて容易であり、作業者に負担をかけることなくその作業を迅速に行うことが可能である。
【００４１】
特に、照明装置１を図１および図２に示す姿勢で用いると、ワイヤ１６を下方へ引いてバルーンを膨らませる場合に、伸縮骨構造体ＳＫおよびバルーン部材３１の下端部は固定され、上端部が下降移動することになるので、その自重がバルーンを膨らませる方向に作用し、そのため操作に大きな力を必要としない。したがって、バルーンを容易に膨らませることができる。
【００４２】
また、係止部材４４を設ける位置を異ならせることにより、バルーンの膨らみ具合を調整することができる。
【００４３】
上に述べた実施形態においては、係止部材４４は、その長さ方向の上方に片寄った位置でロッド部材１５に取り付けられている。これとは逆に、その長さ方向の下方に片寄った位置でロッド部材１５に回転自在に取り付けてもよい。
【００４４】
すなわち、図９に示すように、ロッド部材１５に設けられた凹所４５に、係止部材４４が、その長さ方向の中央よりも下方に片寄った位置において、ロッド部材１５に設けた穴に固定されたピン４７によって回転自在に取り付けられている。
【００４５】
このようにすると、係止部材４４は、鉛直方向から少しでも傾くことによってその自重によって先端部４４ａが上になるように回動する。したがって、ワイヤ１６を下方へ引っ張ってパイプ部材１４から係止部材４４が抜け出ると、係止部材４４は反転してロッド部材１５の軸方向と一致しなくなる。そのため、その状態でワイヤ１６を引っ張った手を緩めると、係止部材４４がパイプ部材１４の開口端部１４ａに当接して係止することとなる。
【００４６】
バルーン部材３１を萎ませるときには、ワイヤ１６を下方へ少し引っ張って係止部材４４をロッド部材１５の方向に一致させ、ワイヤ１６を引く手を緩めると、係止部材４４はパイプ部材１４の中に挿入されることとなる。
【００４７】
このように、ピン４７の位置を変えることにより、バルーン部材３１を萎ませるとき（収納時）に係止が自動ではずれるようにしたり、バルーン部材３１を膨らませるとき（使用時）に係止が自動でかかるようにしたりできる。
【００４８】
また、係止部材４４の中央位置においてピン４７によって回転自在に取り付けてもよい。係止部材４４の挿通位置または係止位置において、それぞれラッチなどによって保持されるようにしてもよい。
【００４９】
上に述べた実施形態において、支持軸１９を支持するポール２０などに、照明装置１を傾けるためのユニバーサルナックルを取り付けてもよい。
【００５０】
図１０に例を示すユニバーサルナックル５０は、ナックル横軸５１およびナックル縦軸５５からなっている。ナックル横軸５１およびナックル縦軸５５は、それぞれ２段の円柱状であり、穴５２、５６が設けられている。ナックル横軸５１の穴５２には、支持軸１９が挿入され、図示しないハンドル付きボルトの先端が凹溝部１９ａに押し付けられて固定される。ナックル横軸５１の径小部５３は、ナックル縦軸５５の穴５６に挿入され、図示しないハンドル付きボルトの先端が径小部５３に設けられた凹溝部５３ａに押し付けられて固定される。ナックル縦軸５５の径小部５７は、ポール２０などの上端部に設けられた穴２０ａに挿入され、ボルト５８の先端が径小部５７に設けられた凹溝部５７ａに押し付けられて固定される。
【００５１】
凹溝部１９ａを押し付けるハンドル付きボルトを緩めると、支持軸１９をその軸心を中心に回転することができるので、照明装置１の水平面内における回転角度位置を調整することができる。凹溝部５３ａを押し付けるハンドル付きボルトを緩めると、ナックル横軸５１をその軸心を中心に回転することができるので、照明装置１の鉛直線に対する傾き角度（チルト角）を調整することができる。凹溝部５７ａを押し付けるボルト５８を緩めると、ナックル縦軸５５をその軸心を中心に回転することができるので、照明装置１を傾けた状態でその回転角度位置を調整することができる。
【００５２】
なお、これら支持軸１９、ナックル横軸５１、およびナックル縦軸５５をアルミニウム合金などの比較的柔らかい金属材料によって製作し、ハンドル付きボルトおよびボルト５８を鋼材またはステンレス鋼材などの比較的硬い金属材料によって製作することによって、適当な摩擦抵抗力が得られ、または硬い方の金属材料が柔らかい方の金属材料に食い込むことによって、回転角度位置の調整などをスムーズに行え、且つ調整後の位置において確実に保持することができる。
【００５３】
上に述べたようなユニバーサルナックル５０に代えて、支持軸１９とポール２０とが一直線状となるようにし、ナックル横軸５１の軸心と同じ軸心の回りに回転して折れ曲がり可能な構成としてもよい。
【００５４】
また、照明装置１を、エンジン発電機を搭載した台車上に設置して使用することもできる。
【００５５】
上に述べた実施形態において、各部の材料は鋼、ステンレス鋼、またはアルミニウム合金などの金属材料が用いられる。部材によっては合成樹脂を用いることも可能である。各部材の寸法の例を挙げると次のとおりである。トップ部材１１およびベース部材１２の板厚：数ｍｍ〜十ｍｍ程度、直径：数十ｍｍ〜百数十ｍｍ程度、ひご部材１３の直径：数ｍｍ〜十ｍｍ程度、長さ：数十ｃｍ〜百数十ｃｍ程度、パイプ部材１４の外径：数ｍｍ〜十数ｍｍ程度、具体的には十ｍｍ程度、長さ：数十ｃｍ〜百ｃｍ程度、ロッド部材１５の外径：数ｍｍ〜十数ｍｍ程度、具体的には６ｍｍ程度、長さ：数十ｃｍ〜百ｃｍ程度、ランプガード２５の直径：百ｍｍ〜百数十ｍｍ程度。
【００５６】
上に述べた実施形態において、バルーン部材３１の上半球の上部における内面に、光を反射するシルバーの反射板を設けてもよい。反射板を設けることによって、下方への照明光が強くなり、効率よく下方周辺を照明できる。
【００５７】
例えば、図１１に示すように、球面の一部からなる反射板３１ａを、インナーシートとしてひご部材１３とバルーン部材３１との間に挟むことによって、伸縮骨構造体ＳＫに保持するように設けることができる。反射板３１ａの上部中央に設けた穴にアイボルト１８が貫通し、トップ部材１１との間で挟まれて固定される。アイボルト１８を緩めて取り外し、バルーン部材３１を捲ることによって、反射板３１ａを取り外しまたは取り付けることができる。図１には反射板３１ａが鎖線で示されている。反射板３１ａとして、アルミ箔、布や樹脂シートにアルミ蒸着したものなどを用いることができる。
【００５８】
この反射板３１ａによると、上方への光が遮蔽されるので、住宅街などの工事で使用する際の夜間の安眠妨害などの問題を回避することができる。また、橋脚の下や構造物内での工事で使用する場合には、反射板３１ａを取り外して天井方向に必要な照明を行うことができる。
【００５９】
上に述べた実施形態において、ランプＬＭとして、ハロゲンランプ、メタルハロイドランプ（ＨＩＤランプ）などを用いることができる。特にメタルハロイドランプを用いた場合は、低消費電力で高輝度の照明を行うことができる。
【００６０】
上に述べた実施形態において、パイプ部材１４の開口端部１４ａに、適当な当接部材を設けてもよい。その他、伸縮支柱ＳＳ、伸縮骨構造体ＳＫ、または照明装置１の全体または各部の構造、形状、寸法、個数、材質などは、本発明の趣旨に沿って適宜変更することができる。
【図面の簡単な説明】
【００６１】
【図１】本発明に係る照明装置の外観を示す斜視図である。
【図２】照明装置の断面正面図である。
【図３】図２の一部を拡大して示す断面正面図である。
【図４】図３のＡーＡ線矢視断面図である。
【図５】図３のＢーＢ線矢視断面図である。
【図６】ひご部材の連結部分を拡大して示す断面正面図である。
【図７】伸縮支柱の構造を示す断面正面図である。
【図８】図７に示す伸縮支柱の構造の断面右側面図である。
【図９】係止部材の取り付けの他の例を示す断面正面図である。
【図１０】ユニバーサルナックルの構造の例を示す断面正面図である。
【図１１】伸縮骨構造体に反射板３１ａを取り付けた状態を示す断面正面図である。
【符号の説明】
【００６２】
１  照明装置
１１  トップ部材
１２  ベース部材
１３  ひご部材１３
１４  パイプ部材１４
１４ａ  開口端部
１５  ロッド部材
１６  ワイヤ（紐状体）
１７  操作部
１９  支持軸（支持部材）
３１  バルーン部材
３１ａ  反射板
４４  係止部材
４５  凹所
ＳＳ  伸縮支柱
ＳＫ  伸縮骨構造体
ＬＭ  照明ランプ
【図１】
0004502924.tif 000002
【図２】
0004502924.tif 000003
【図３】
0004502924.tif 000004
【図４】
0004502924.tif 000005
【図５】
0004502924.tif 000006
【図６】
0004502924.tif 000007
【図７】
0004502924.tif 000008
【図８】
0004502924.tif 000009
【図９】
0004502924.tif 000010
【図１０】
0004502924.tif 000011
【図１１】
0004502924.tif 000012